(57)【要約】【課題】中継装置における復号結果が正しいか否かを受信通信装置においても知りうる仕組みを提供する。【解決手段】中継装置のためのワイヤレス通信方法において、第１通信装置から第２通信装置へ向かう第１信号を受信し、受信された第１信号を復号化して復号結果が正しいか否かを判断し、第１信号の復号結果が正しいか否かを示す第１復号化応答信号を生成し、第１復号化応答信号を第１通信装置及び第２通信装置へ送信する。【選択図】図８
2010171951.tif 000002
【特許請求の範囲】
【請求項１】
中継装置のためのワイヤレス通信方法であって、
第１通信装置から第２通信装置へ向かう第１信号を受信し、
受信された前記第１信号を復号化して復号結果が正しいか否かを判断し、
前記第１信号の前記復号結果が正しいか否かを示す第１復号化応答信号を生成し、
前記第１復号化応答信号を前記第１通信装置及び前記第２通信装置へ送信する、
ワイヤレス通信方法。
【請求項２】
前記第１信号の前記復号結果が正しいとき、前記第１復号化応答信号を前記第１通信装置及び前記第２通信装置へ送信した後に、前記第１信号を前記第２通信装置へ転送する、請求項１に記載のワイヤレス通信方法。
【請求項３】
前記第１信号の前記復号結果が正しくないときに、前記第１復号化応答信号を前記第１通信装置及び前記第２通信装置へ送信した後に、前記第１通信装置から再送される前記第１信号を受信する請求項２に記載のワイヤレス通信方法。
【請求項４】
さらに、
前記第１通信装置から前記第１信号を受信する時に、前記第２通信装置から前記第１通信装置へ向かう第２信号を受信し、
受信された前記第２信号を復号化して復号結果が正しいか否かを判断し、
前記第２信号の前記復号結果が正しいか否かを示す第２復号化応答信号を生成し、
復号化された前記第１信号と復号化された前記第２信号を重ね合わせて重ね合わせ信号を取得し、
前記第１復号化応答信号の送信とともに、前記重ね合わせ信号及び前記第２復号化応答信号を、前記第１通信装置及び前記第２通信装置へ送信する、
請求項１に記載のワイヤレス通信方法。
【請求項５】
前記の復号化された前記第１信号と復号化された前記第２信号とを重ね合わせて重ね合わせ信号を取得することは、
もし前記第１信号及び前記第２信号の前記復号結果がともに正しいとき、復号化された前記第１信号と前記第２信号に対して排他的論理和演算を行って前記重ね合わせ信号を取得することと、
もし前記第１信号及び前記第２信号の前記復号結果のいずれか一方のみが正しいとき、正しく復号化された信号を前記重ね合わせ信号として取得することと、
もし前記第１信号及び前記第２信号の前記復号結果のどちらも正しくないとき、ヌル（null）信号を前記重ね合わせ信号として取得することと、
を含む請求項４に記載のワイヤレス通信方法。
【請求項６】
前記ワイヤレス通信方法は、時分割復信（TDD: Time Division Duplex）通信システムにおいて利用され、
前記第１通信装置を基地局装置とし、前記第２通信装置を移動局装置とし、
前記中継装置が、次のパターン、
ダウンリンク期間の前段部分において、前記基地局装置から前記移動局装置へ向かう信号を受信し、
前記ダウンリンク期間の後段部分において、前記基地局装置から発した信号を前記移動局装置へ転送し、
アップリンク期間の前段部分において、前記移動局装置から発した信号を前記基地局装置へ転送し、
前記アップリンク期間の後段部分において、前記移動局装置から前記基地局装置へ向かう信号を受信する、
に従って動作する請求項１に記載のワイヤレス通信方法。
【請求項７】
前記基地局装置から発した前記信号内の制御シグナリングの時間長が、前記基地局装置から発した前記信号内のデータの伝送時間と前記中継装置が受信状態から送信状態へ切り替わるのに必要な時間の合計以上であるとき、前記中継装置は、前記基地局装置から発した前記信号内の全てのデータを転送し、そうでなければ、前記中継装置は、前記基地局装置から発した信号内のデータをパンクチャして、パンクチャされた前記データを転送する、請求項６に記載のワイヤレス通信方法。
【請求項８】
前記移動局装置から発した信号内のデータの伝送時間が、前記中継装置が送信状態から受信状態へ切り替わるのに必要な時間以上であるとき、前記中継装置は、前記移動局装置から発した信号内の全てのデータを転送し、そうでなければ、前記中継装置は、前記移動局装置から発した信号内のデータをパンクチャし、パンクチャされた前記データを転送する、請求項６に記載のワイヤレス通信方法。
【請求項９】
前記アップリンク期間の前記前段部分において、前記中継装置は、前記復号化応答信号を前記基地局装置及び前記移動局装置へ送信する、請求項６に記載のワイヤレス通信方法。
【請求項１０】
前記ワイヤレス通信方法は、時分割復信（TDD: Time Division Duplex）通信システムにおいて利用され、
前記第１通信装置を基地局装置とし、前記第２通信装置を移動局装置とし、
前記中継装置が、次のパターン、
第１期間において、前記基地局装置から発した前記第１信号を受信し、前記移動局装置から発した前記第２信号を受信する、
第２期間において、前記重ね合わせ信号を、前記第１復号化応答信号及び前記第２復号化応答信号とともに、前記基地局装置及び前記移動局装置へ送信する、
に従って動作する請求項４に記載のワイヤレス通信方法。
【請求項１１】
前記の前記第１復号化応答信号を送信することは、時分割多重、周波数分割多重又は符号分割多重によって前記第１復号化応答信号を他の復号化応答信号と多重化することを含む、請求項１に記載のワイヤレス通信方法。
【請求項１２】
前記組み合わせ信号、前記第１復号化応答信号及び前記第２復号化応答信号を前記第１通信装置及び前記第２通信装置へ送信するとき、前記第１復号化応答信号及び前記第２復号化応答信号は、前記重ね合わせ信号とは別にリソースを占めるか、又は前記重ね合わせ信号とリソースを共用する請求項４に記載のワイヤレス通信方法。
【請求項１３】
ワイヤレス通信システムで使用される中継装置であって、
第１通信装置から第２通信装置へ向かう第１信号を受信する送受信部と、
前記第１信号を復号化して復号結果が正しいか否かを判断する復号部と、
前記第１信号の前記復号結果が正しいか否かを示す第１復号化応答信号を生成する復号化応答信号生成部と、を備え、
前記送受信部は、前記第１復号化応答信号を前記第１通信装置及び前記第２通信装置へ送信する中継装置。
【請求項１４】
前記送受信部は、前記第１信号の前記復号結果が正しいとき、前記第１復号化応答信号を前記第１通信装置及び前記第２通信装置へ送信した後に、前記第１信号を前記第２通信装置へ転送する、請求項１３に記載の中継装置。
【請求項１５】
前記送受信部は、前記第１信号の前記復号結果が正しくないときに、前記第１復号化応答信号を前記第１通信装置及び前記第２通信装置へ送信した後に、前記第１通信装置から再送される前記第１信号を受信する請求項１４に記載の中継装置。
【請求項１６】
前記送受信部は、さらに、前記第１通信装置から前記第１信号を受信する時に、前記第２通信装置から前記第１通信装置へ向かう第２信号を受信し、
前記復号部は、さらに、前記第２信号を復号化して復号結果が正しいか否かを判断し、
前記復号化応答信号生成部は、さらに、前記第２信号の前記復号結果が正しいか否かを示す第２復号化応答信号を生成し、
前記中継装置は、さらに、復号化された前記第１信号と復号化された前記第２信号を重ね合わせて重ね合わせ信号を取得する重ね合わせ部を備え、
前記送受信部は、さらに、前記第１復号化応答信号の送信とともに、前記重ね合わせ信号及び前記第２復号化応答信号を、前記第１通信装置及び前記第２通信装置へ送信する、
請求項１３に記載の中継装置。
【請求項１７】
前記重ね合わせ部は、
もし前記第１信号及び前記第２信号の前記復号結果がともに正しいとき、復号化された前記第１信号と前記第２信号に対して排他的論理和演算を行って前記重ね合わせ信号を取得し、
もし前記第１信号及び前記第２信号の前記復号結果のいずれか一方のみが正しいとき、正しく復号化された信号を前記重ね合わせ信号として取得し、
もし前記第１信号及び前記第２信号の前記復号結果のどちらも正しくないとき、ヌル（null）信号を前記重ね合わせ信号として取得する、
請求項１６に記載の中継装置。
【請求項１８】
前記中継装置は、時分割復信（TDD: Time Division Duplex）通信システムにおいて利用され、
前記第１通信装置を基地局装置とし、前記第２通信装置を移動局装置とし、
前記送受信部が、次のパターン、
ダウンリンク期間の前段部分において、前記基地局装置から前記移動局装置へ向かう信号を受信し、
前記ダウンリンク期間の後段部分において、前記基地局装置から発した信号を前記移動局装置へ転送し、
アップリンク期間の前段部分において、前記移動局装置から発した信号を前記基地局装置へ転送し、
前記アップリンク期間の後段部分において、前記移動局装置から前記基地局装置へ向かう信号を受信する、
に従って動作する請求項１３に記載の中継装置。
【請求項１９】
パンクチャ部をさらに備え、
前記基地局装置から発した前記信号内の制御シグナリングの時間長が、前記基地局装置から発した前記信号内のデータの伝送時間と前記中継装置が受信状態から送信状態へ切り替わるのに必要な時間の合計以上であるとき、前記送受信部は、前記基地局装置から発した前記信号内の全てのデータを転送し、そうでなければ、前記パンクチャ部は、前記基地局装置から発した信号内のデータをパンクチャして、前記送受信部は、パンクチャされた前記データを転送する、請求項１８に記載の中継装置。
【請求項２０】
前記中継装置は、時分割復信（TDD: Time Division Duplex）通信システムにおいて利用され、
前記第１通信装置を基地局装置とし、前記第２通信装置を移動局装置とし、
前記送受信部が、次のパターン、
第１期間において、前記基地局装置から発した前記第１信号を受信し、前記移動局装置から発した前記第２信号を受信する、
第２期間において、前記重ね合わせ信号、前記第１復号化応答信号及び前記第２復号化を、前記基地局装置及び前記移動局装置へ送信する、
に従って動作する請求項１６に記載の中継装置。
【発明の詳細な説明】
【技術分野】
【０００１】
本明細書で論じられる実施態様は、ワイヤレス通信システムに関し、特に、中継装置と中継装置のワイヤレス通信方法に関する。
【背景技術】
【０００２】
ワイヤレスマルチメディアサービスの急速な発達に伴って、データ通信能力と伝送品質に対するユーザの要求が次第に高まっている。しかしながら、複雑なワイヤレス環境における障害や遮蔽といった要因の影響のために、多くの通信のデッドスポット（不感地帯）が生じる。デッドスポットは、連続した高速かつ高品質の通信サービスをユーザが得ることを困難にする。この問題を解決するため、ワイヤレスシステムでは、ワイヤレス通信の当事者間においてワイヤレス通信信号を転送する中継装置が利用されて、それによって、システムのスループットと、ユーザデータの転送速度を改善することが行われている。
【０００３】
一般に、中継装置を利用するワイヤレス通信システムは、送信通信装置と、中継装置と、受信通信装置を含む。中継装置は、送信通信装置から信号を受信し、特定の処理を実行した後に、その信号を受信通信装置へ転送する。中継装置による信号の処理には一般に２つの方式がある。一方は増幅転送法（AF: Amplify and Forward）であり、他方は復号転送法（DF: Decode and Forward）である。
【０００４】
いわゆる増幅転送法では、受信した信号を無線周波数側で増幅し、増幅された信号を送信する。この方法は、信号処理フローが単純であり装置のコストが比較的低くなる点が長所である。しかしながら、信号強度を増加する間にシステム雑音も増幅されるため累積雑音という短所を持つ。
【０００５】
いわゆる復号転送法では、送信通信装置から受信した信号を中継装置内で復号し、完全に信号を復元してから、再符号化した信号を特定の電力で受信通信装置へ転送する。復号転送法は、伝送中の雑音累積を完全に除去し、大容量及び高品質の長距離通信を可能にし、フレキシブルなリンク適応能力及び強化されたセキュリティ能力を有し、時空間処理技術と組み合わせることにより良好な空間ダイバーシティ効果を提供することができる。しかしながら、もし中継装置の復号にエラーが発生した場合、転送される信号にエラー伝搬が発生し、受信通信装置において復元できなくなる。
【０００６】
図１は、中継装置を含んだ、従来技術におけるワイヤレス通信システムのための通信方法を説明する。図１において、送信通信装置Ｓは、信号を中継装置ＲＳ及び受信通信装置Ｄへ送信するための第１送信をタイムスロットｔにて実行する。中継装置ＲＳは、受信した信号を復号し、復号化されたデータを再符号化して雑音の影響を除去する。タイムスロットｔ＋ｎにおいて、再符号化されたデータを受信通信装置Ｄへ送信する第２送信が実行される。中継装置ＲＳから送信された信号を受信すると、受信通信装置Ｄは、中継装置ＲＳから送信された信号を、タイムスロットｔにて受信した送信通信装置Ｓから送信されたデータと合成し、合成された信号を復号化する。
【０００７】
図２は、中継装置を含んだ、従来技術におけるワイヤレス通信システムのための他の通信方法を説明する。図２において、２つの通信装置Ｓ及びＤは、中継装置ＲＳへ同時に信号を送信する。中継装置ＲＳは、受信した２つの信号を復号化し、例えば復号化された２つの信号に対してビットレベルの排他的論理和演算を実行することによって、復号化された２つの信号を処理する。タイムスロットｔ＋ｎにおいて、処理された信号は、２つの通信装置Ｓ及びＤへ同時に送信される。
【０００８】
上述の通り、送信通信装置Ｓからの信号が中継装置によって受信された後は、信号が完全に正しくに受信されたことを保証することはできない。もし、信号が正しく受信されず、それでも転送されると、受信通信装置Ｄは、転送された信号を受信した後に信号を正しく復元できない。
【０００９】
復号結果が正しいか否かを示す復号化応答信号を、中継装置が送信通信装置へ送信し、復号結果が正しくない場合には中継装置が信号を転送しないことを保証する方法が提案されている。しかしこの方法でも、中継装置による復号結果が正しいか否かを受信通信装置が知ることはできないため、受信通信装置は、通信システムのリソース浪費を起こす恐れがある信号の受信のために備えている。
【先行技術文献】
【特許文献】
【００１０】
【特許文献１】米国特許出願公開第２００７／０２４５２０４号明細書
【発明の概要】
【００１１】
実施態様に係る装置及び方法は、中継装置における復号結果が正しいか否かを受信通信装置においても知りうる仕組みを提供する。
【００１２】
ある実施態様によれば、中継装置のためのワイヤレス通信方法が提供される。本方法では、第１通信装置から第２通信装置へ向かう第１信号を受信し、受信された第１信号を復号化して復号結果が正しいか否かを判断し、第１信号の復号結果が正しいか否かを示す第１復号化応答信号を生成し、第１復号化応答信号を第１通信装置及び第２通信装置へ送信する。
【００１３】
他の実施態様によれば、ワイヤレス通信システムのための中継装置が提供される。本中継装置は、第１通信装置から第２通信装置へ向かう第１信号を受信する送受信部と、第１信号を復号化して復号結果が正しいか否かを判断する復号部と、第１信号の復号結果が正しいか否かを示す第１復号化応答信号を生成する復号化応答信号生成部と、を備え、前記送受信部は、第１復号化応答信号を第１通信装置及び第２通信装置へ送信する。
【００１４】
実施態様に係る装置及び方法は、中継装置における復号結果が正しいか否かを受信通信装置においても知ることを可能にし、通信システムのリソースをより効率的に利用することを可能にする。
【００１５】
実施態様の更なる側面及び特徴は、以下に続く説明及び添付図面を参照することによってより明らかになるであろう。以下の説明及び添付図面において、特定の実施例が詳細に開示され、実施態様の原理を採用する方法が示される。しかしながらこれらによって、実施態様の範囲が制限されると理解されるべきではない。添付される特許請求の範囲の精神及び条項の範囲には、実施態様の様々な変更、修正及び均等物が含まれる。
【００１６】
１つの実施例のために記載された及び／又は示された特徴は、１以上の他の実施例においても同じように又は類似の方法で利用されることがあり、又は他の実施例における特徴と組み合わさり、置換されることがある。
【００１７】
明細書において使用される場合における用語「含む」は、特徴、要素全体、ステップ又は構成要素の存在を、１以上の他の特徴、要素全体、ステップ又は構成要素の存在又は追加を排除することなく示すものとして使用される。
【００１８】
実施態様の多くの側面は、添付図面を参照してより理解されるであろう。図面の各部は、特定の縮尺で描いたものではなく、単に実施態様の原理を説明するために描かれている。実施態様のある部分を説明するため又は描写するために、添付図面の対応する部分は拡大されることがある。すなわち、実施態様に従って実際に製造される実例の装置における他の部分に比べて、より大きく表されることがある。ある添付図面又は実施態様のある実施例において記載される構成要素及び特徴は、１つ以上の他の添付図面又は実施例において示される構成要素及び特徴と組み合わされることがある。さらに、複数の添付図面を通して、同じ参照符号は対応する部分を示し、１以上の実施例にて使用される対応する部分を示すために使用される。
【００１９】
実施態様の好ましい実施例を説明し、明細書の構成要素となる添付図面は、説明とともに実施態様の原理をより詳細に説明するために使用される。
【図面の簡単な説明】
【００２０】
【図１】中継装置を含んだ、従来技術におけるワイヤレス通信システムのための通信方法の説明図である。
【図２】中継装置を含んだ、従来技術におけるワイヤレス通信システムのための他の通信方法の説明図である。
【図３】１つの実施例によるワイヤレス通信方法の概略説明図である。
【図４】他の実施例によるワイヤレス通信方法の概略説明図である。
【図５】１つの実施例による時分割複信ワイヤレス通信システムの信号の送受信のタイムチャートの概略説明図である。
【図６】１つの実施例による時分割複信ワイヤレス通信システムの信号の送受信のタイムチャートの概略説明図である。
【図７】他の実施例による時分割複信ワイヤレス通信システムの信号の送受信のタイムチャートの概略説明図である。
【図８】１つの実施例による中継装置のためのワイヤレス通信方法のフローチャートである。
【図９】他の実施例による中継装置のためのワイヤレス通信方法のフローチャートである。
【図１０】他の実施例による中継装置のためのワイヤレス通信方法のフローチャートである。
【図１１】１つの実施例によるワイヤレス通信システムのための中継装置のブロック図である。
【図１２】他の実施例によるワイヤレス通信システムのための中継装置のブロック図である。
【図１３】他の実施例によるワイヤレス通信システムのための中継装置のブロック図である。
【図１４】他の実施例によるワイヤレス通信システムのための中継装置のブロック図である。
【発明を実施するための形態】
【００２１】
図３は、１つの実施例によるワイヤレス通信方法の概略説明図である。図３に示すように、タイムスロットｔにおいて、送信通信装置Ｓは、第１信号を中継装置ＲＳ及び受信通信装置Ｄへ送信するための第１送信を実行する。中継装置ＲＳは、受信された第１信号を復号し、復号結果が正しいか否かを判断し、復号結果が正しいか否かを示す第１復号化応答信号を生成する。もし復号結果が正しいとき、第１復号化応答信号は肯定応答（ＡＣＫ：acknowledgment）信号となる。もし復号結果が正しくないとき、第１復号化応答信号は否定応答（ＮＡＣＫ：Negative acknowledgment）信号となる。タイムスロットｔ＋ｋにおいて、中継装置ＲＳは、第１復号化応答信号を送信装置Ｓ及び受信通信装置Ｄへ送信する。もし復号結果が正しいとき、中継装置ＲＳは、第１信号を受信通信装置Ｄへ転送する第２送信をタイムスロットｔ＋ｎにて行う。もし復号結果が正しくないとき、中継装置ＲＳは、正しく復号されなかった第１信号をタイムスロットｔ＋ｎで転送せず、送信通信装置Ｓから再送された第１信号をタイムスロットｔ＋ｍで受信する。
【００２２】
この実施例では、受信通信装置Ｄは、送信通信装置Ｓから直接送信された第１信号を受信した直後に一時的に信号を復号化せず、しかし、中継装置ＲＳから転送された第１信号を受信するまで待機し、２つの信号を合成して信号利得を高め、合成された信号を復号化してよい。合成の方法は、当業者に周知であるためここでは詳細に説明しない。
【００２３】
この実施例において、復号結果が正しいか否かを判断するためにパリティチェックを採用してよい。パリティチェックは、当業者に周知であるためここでは詳細に説明しない。
【００２４】
図４は、他の実施例によるワイヤレス通信方法の概略説明図である。図４に示すように、タイムスロットｔにおいて、中継装置ＲＳは、第１通信装置Ｎ１から第２通信装置Ｎ２へ向かう第１信号と、第２通信装置Ｎ２から第１通信装置Ｎ１へ向かう第２信号を同時に受信する。中継装置ＲＳは、受信された第１信号及び第２信号をそれぞれ復号化し、復号結果が正しいか否かを判断し、第１復号化応答信号及び第２復号化応答信号を生成する。また、中継装置ＲＳは、２つの復号化された信号を重ね合わせた重ね合わせ信号を取得する。ある実施例では、もし第１信号及び第２信号の復号結果がどちらも正しいとき、重ね合わせ信号を取得するために、復号化された第１信号と第２信号に対して排他的論理和演算が行われる。もし第１信号及び第２信号の復号結果のいずれか一方だけが正しいとき、正しく復号化された信号だけを重ね合わせ信号として取得する。もし第１信号及び第２信号の復号結果のどちらも正しくないとき、ヌル（null）信号を重ね合わせ信号とする。タイムスロットｔ＋ｎにおいて中継装置ＲＳは、２つのデータの復号結果に従い、組み合わせ信号と、第１及び第２復号化応答信号とを、第１通信装置Ｎ１及び第２通信装置Ｎ２へ同時に転送する。
【００２５】
図４の実施例では、第１通信装置Ｎ１及び第２通信装置Ｎ２は、復号化応答信号によって、どのように第２信号及び第１信号を復元すればよいかを知ることができる。もし第１復号化応答信号及び第２復号化応答信号がどちらも復号結果が正しいと示すとき、第１通信装置Ｎ１及び第２通信装置Ｎ２は、重ね合わせ信号が第１信号及び第２信号の非排他的論理和であることを知る。従って、第１通信装置Ｎ１は、自分自身で保存した第１信号と組み合わせ信号とに対して非排他的論理和演算を実行することによって、第２信号を復元できる。第２通信装置Ｎ２は、自分自身で保存した第２信号と組み合わせ信号とに対して非排他的論理和演算を実行することによって、第１信号を復元できる。もし、復号結果が正しいことを第１復号化応答信号が示す一方で復号結果が間違っていることを第２復号化応答信号が示すとき、第１通信装置Ｎ１及び第２通信装置Ｎ２は、重ね合わせ信号が第１信号であることを知る。従って、第１通信装置Ｎ１には信号に対して何も処理しないことが可能になる一方で、第２通信装置Ｎ２は第１信号を取得することができる。もし第１復号化応答信号及び第２復号化応答信号のどちらも復号結果が正しくないことを示すとき、第１通信装置Ｎ１及び第２通信装置Ｎ２には、信号に対して何も処理しないことが可能となる。
【００２６】
上記から分かるとおり、復号結果の正否に関わらず中継装置が復号された第１信号及び第２信号の非排他的論理和演算を行って転送する方法に比べると、図４の実施例によって、中継装置、第１通信装置及び第２通信装置の計算量を低減することが可能となる。
【００２７】
以下、図５〜図７を参照しながら、例示としての時分割復信（ＴＤＤ：Time Division Duplex）ワイヤレス通信システムにおける実施例を説明する。
【００２８】
図５及び図６は、１つの実施例によるＴＤＤワイヤレス通信システムの信号の送受信のタイムチャートの概略説明図である。図５及び図６において、参照符号ＭＳ１は中継サービスを必要とする移動局装置を示し、参照符号ＭＳ２は中継サービスを必要としない移動局装置を示し（明瞭化のため、図５にはＭＳ２は図示していない）、参照符号ＲＳは中継装置を示し、参照符号ＢＳは基地局装置を示し、参照符号ＤＬはダウンリンクを示し、参照符号ＵＬはアップリンクを示す。この実施例では、１つのフレームが４つのダウンリンクサブフレーム（＃０〜＃３）と４つのアップリンクサブフレーム（＃４〜＃７）を含む。ここに、４つのダウンリンクサブフレームを「ダウンリンク期間」と記し、４つのアップリンクサブフレームを「アップリンク期間」と記す。ダウンリンク期間の第１及び第２サブフレーム（＃０及び＃１）、すなわちダウンリンク期間の前段部分において、中継装置ＲＳは、基地局装置ＢＳから移動局装置ＭＳ１へ向かう信号を受信する。ダウンリンク期間の第３及び第４サブフレーム（＃２及び＃３）、すなわちダウンリンク期間の後段部分において、中継装置ＲＳは、基地局装置ＢＳからの信号を移動局装置ＭＳ１へ転送する。アップリンク期間の第１及び第２サブフレーム（＃４及び＃５）、すなわちアップリンク期間の前段部分において、中継装置ＲＳは、移動局装置ＭＳ１からの信号を基地局装置ＢＳへ転送する。アップリンク期間の第３及び第４サブフレーム（＃６及び＃７）、すなわちアップリンク期間の後段部分において、中継装置ＲＳは、移動局装置ＭＳ１から基地局装置ＢＳへ向かう信号を受信する。さらに、ダウンリンク期間において、基地局装置ＢＳは移動局装置ＭＳ２にも信号を送信し、アップリンク期間において、基地局装置ＢＳは移動局装置ＭＳ２から信号を受信する。この実施例では、１つのフレームが１つのアップリンク期間及び１つのダウンリンク期間を含み、中継装置ＲＳは、受信状態と送信状態の間の切り替えを２回実行するだけでよい。
【００２９】
ある実施例においては、基地局装置ＢＳから送信される信号は、データ信号と制御シグナリングを含む。制御シグナリングは、スケジューリング情報を含む。スケジューリング情報は、特定の時間周波数リソースによってデータ信号を転送することを中継装置ＲＳに指示する情報であってよい。中継装置ＲＳは、基地局装置ＢＳからの信号を転送するときにデータ信号を転送すれば足り、制御シグナリングを転送する必要はない。図５に示す通り、ダウンリンク期間において、制御シグナリングが占める時間（Ｔcontrol）が、データの伝送時間（Ｔgap）と中継装置ＲＳが受信状態から送信状態へ切り替わるのに必要な時間（Ｔtrans）の合計以上である限り、中継装置ＲＳは、データ転送時に、前に受信した全てのデータを転送する。そうでなければ、中継装置ＲＳは、データのパンクチャを行う必要があり、パンクチャされたデータを転送する。一方で、アップリンク期間の第２アップリンクサブフレームと第３アップリンクサブフレームの間では、データの伝送時間（Ｔgap）が、中継装置ＲＳが送信状態から受信状態へ切り替わるのに必要な時間（Ｔtrans）以上である限り、中継装置ＲＳは、移動局装置ＭＳ１から受信した全てのデータを転送してよい。そうでなければ、中継装置ＲＳは、データはパンクチャされて転送される必要がある。ここで、中継装置ＲＳが送信状態から受信状態へ切り替わるのに必要な時間と、中継装置ＲＳが受信状態から送信状態へ切り替わるのに必要な時間とが等しいと仮定する。当然、これらの時間は等しくなくてもよい。データのパンクチャ方法は、当業者に周知であるためここでは説明を省略する。
【００３０】
図６に示すように、アップリンク期間の第１及び第２フレーム（すなわち＃４及び＃５）において、移動局装置ＭＳ１から基地局装置ＢＳへ信号を転送するとき、この時点で中継装置ＲＳが送信状態にある間に、中継装置ＲＳは、復号化応答信号ＡＣＫ又はＮＡＣＫを基地局装置ＢＳ及び移動局装置ＭＳ１へ送信することもできる。
【００３１】
以下の説明において、図５及び図６の実施例は図３に関連して説明される。
【００３２】
図３において、送信通信装置が基地局装置ＢＳであり、受信通信装置が移動局装置ＭＳ１であると仮定する。図３のタイムスロットｔは、図５及び図６におけるダウンリンク期間の第１又は第２フレームに相当してよい。タイムスロットｔにおいて、基地局装置ＢＳは、第１送信を実行し、第１信号を中継装置ＲＳ及び移動局装置ＭＳ１へ送信する（明瞭化のため、図５及び図６には基地局装置ＢＳが移動局装置ＭＳ１へ直接第１信号を送信する処理は図示していない）。図３のタイムスロットｔ＋ｋは、図５及び図６におけるアップリンク期間の第１又は第２フレームに相当してよい。タイムスロットｔ＋ｋにおいて、中継装置ＲＳは、第１復号化応答信号を、基地局装置ＢＳ及び移動局装置ＭＳ１へ送信する。図３の参照符号ｔ＋ｎは、図５及び図６における次のアップリンク期間の第１又は第２フレームに相当する。タイムスロットｔ＋ｎにおいて、中継装置ＲＳは第２送信を実行し、第１信号を移動局装置ＭＳ１へ転送する。図３のタイムスロットｔ＋ｍは、図５及び図６における次のアップリンク期間の第３又は第４フレームに相当してよい。タイムスロットｔ＋ｍにおいて、基地局装置ＢＳは、第１信号を再送信する。もし、タイムスロットｔ＋ｋにおいて移動局装置ＭＳ１がＡＣＫ信号を受信したときは、移動局装置ＭＳ１は、時刻ｔ＋ｎにおいて中継装置ＲＳが第１信号を送信するであろうことを知る。したがって、移動局装置ＭＳ１は、タイムスロットｔ＋ｎにおいて受信状態になる。そして、もしタイムスロットｔ＋ｋにおいて移動局装置ＭＳ１がＮＡＣＫ信号を受信したときは、移動局装置ＭＳ１は、時刻ｔ＋ｎにおいて中継装置ＲＳが第１信号を再送信しないであろうことを知る。このため、移動局装置ＭＳ１は、受信状態にある必要がなくなりスリープ状態になることができる。このため、電気を節約できる。
【００３３】
図３において、送信通信装置が移動局装置ＭＳ１であり、受信通信装置が基地局装置ＢＳであると仮定する。図３のタイムスロットｔは、図５及び図６におけるアップリンク期間の第３又は第４フレームに相当してよい。タイムスロットｔにおいて、移動局装置ＭＳ１は、第１送信を実行し、第１信号を中継装置ＲＳ及び基地局装置ＢＳへ送信する（明瞭化のため、図５及び図６には移動局装置ＭＳ１が基地局装置ＢＳへ直接第１信号を送信する処理は図示していない）。図３のタイムスロットｔ＋ｋは、図５及び図６における次のアップリンク期間の第１又は第２フレームに相当してよい。タイムスロットｔ＋ｋにおいて、中継装置ＲＳは、第１復号化応答信号を、基地局装置ＢＳ及び移動局装置ＭＳ１へ送信する。図３の参照符号ｔ＋ｎは、図５及び図６における次のダウンリンク期間の第３又は第４フレームに相当する。タイムスロットｔ＋ｎにおいて、中継装置ＲＳは第２送信を実行し、第１信号を基地局装置ＢＳへ転送する。図３のタイムスロットｔ＋ｍは、図５及び図６における次のダウンリンク期間の第１又は第２フレームに相当してよい。タイムスロットｔ＋ｍにおいて、移動局装置ＭＳ１は、第１信号を再送信する。もし、タイムスロットｔ＋ｋにおいて基地局装置ＢＳがＡＣＫ信号を受信したときは、基地局装置ＢＳは、時刻ｔ＋ｎにおいて中継装置ＲＳが第１信号を送信するであろうことを知る。したがって、基地局装置ＢＳは、中継装置ＲＳのためにリソースを割り当てて、タイムスロットｔ＋ｎにおいて中継装置ＲＳが第１信号を転送できるようにする。もしタイムスロットｔ＋ｋにおいて基地局装置ＢＳがＮＡＣＫ信号を受信したときは、基地局装置ＢＳは、時刻ｔ＋ｎにおいて中継装置ＲＳが第１信号を転送しないであろうことを知る。このため、基地局装置ＢＳは、中継装置ＲＳにリソースを割り当てず、他の装置に割り当てることができる。このためリソースの無駄を回避できる。
【００３４】
図５及び図６には、１つのフレーム内に、４つのアップリンクサブフレームと４つのダウンリンクサブフレームを含む８つのサブフレームがあることが示されているが、実施形態はこのような実施例に限定されないことに気を付けられたい。例えばある実施例では、１つのフレームは、６つのダウンリンクサブフレームと４つのアップリンクサブフレームを含む１０個のサブフレームを持つことができる。それに加えて、この実施例には、ダウンリンク期間及びアップリンク期間の前段部分及び後段部分がそれぞれ２つのサブフレームを含んでいるが、当業者は、特定の設計に従ってこれを調整できる。
【００３５】
図７は、他の実施例によるＴＤＤワイヤレス通信システムの信号の送受信のタイムチャートの概略説明図である。
【００３６】
図７において、参照符号ＭＳ１は中継サービスを必要とする移動局装置を示し、参照符号ＭＳ２は中継サービスを必要としない移動局装置を示し、参照符号ＲＳは中継装置を示し、参照符号ＢＳは基地局装置を示し、参照符号ＤＬはダウンリンクを示し、参照符号ＵＬはアップリンクを示す。この実施例では、１つのフレームが８つのサブフレーム（＃０〜＃７）を含む。８つのサブフレームの前段４つのサブフレーム（＃０〜＃３）を「第１期間」と記す。後段４つのサブフレーム（＃４〜＃７）を「第２期間」と記す。図７では、第１期間において中継装置ＲＳは、基地局装置ＢＳからの第１信号と、移動局装置ＭＳ１からの第２信号を受信する。第２期間において中継装置ＲＳは、復号化された第１信号と第２信号を重ね合わせることにより得られた信号と、第１及び第２復号化応答信号とを、一緒に基地局装置ＢＳ及び移動局装置ＭＳ１へ送信する。ある実施例において、もし第１信号及び第２信号の復号結果がともに正しいとき、復号化された第１信号と第２信号の排他的論理和演算を行って重ね合わせ信号を取得する。もし第１信号及び第２信号の復号結果のいずれか一方のみが正しいとき、正しく復号化された信号だけを重ね合わせ信号として取得する。もし第１信号及び第２信号の復号結果のどちらも正しくないとき、ヌル（null）信号を重ね合わせ信号とする。これに加えて、基地局装置ＢＳは、第１期間において移動局装置ＭＳ２に信号を送信し、第２期間において移動局装置ＭＳ２から信号を受信してもよい。
【００３７】
以下の説明において、図７の実施例は図４に関連して説明される。
【００３８】
図４に示す通信装置Ｎ１及びＮ２は、それぞれ図７の基地局装置ＢＳ及び移動局装置ＭＳ１に相当してよい。図４のタイムスロットｔは、図７における第１期間の第１又は第２フレームに相当してよい。図４のタイムスロットｔ＋ｎは、図７における第２期間の第１又は第２フレームに相当してよい。
【００３９】
図７には、１つのフレーム内に８つのサブフレームがあり、第１期間及び第２期間にそれぞれ４つのサブフレームがあることが示されているが、実施形態はこのような実施例に限定されないことに気を付けられたい。例えばある実施例では、１つのフレーム内に１２つのサブフレームがあり、第１期間及び第２期間にそれぞれ６つのサブフレームがあってもよい。
【００４０】
以下、図８〜図１０を参照しながら、実施例によるワイヤレス通信方法の処理フローを説明する。
【００４１】
図８は、１つの実施例による中継装置のためのワイヤレス通信方法のフローチャートである。ステップ８０１において、第２通信装置へ向かう第１信号を第１通信装置から受信する。ステップ８０２において、受信された第１信号を復号化し復号結果が正しいか否かを判断する。ステップ８０３において、第１信号の復号結果が正しいか否かを示す第１復号化応答信号を生成する。ステップ８０４において、第１復号化応答信号を第１通信装置及び第２通信装置へ送信する。ステップ８０４は、時分割多重、周波数分割多重又は符号分割多重によって第１復号化応答信号を他の復号化応答信号と多重化することを含んでもよい。
【００４２】
図８に示す方法は時分割多重復信通信システムに利用してよく、このとき第１通信装置を基地局装置とし、第２通信装置を移動局装置としてよい。中継装置は以下のように動作してよい。ダウンリンク期間の前段部分において、基地局装置から移動局装置へ向かう信号を受信する。ダウンリンク期間の後段部分において、基地局装置からの信号を移動局装置へ転送する。アップリンク期間の前段部分において、移動局装置からの信号を基地局装置へ転送する。アップリンク期間の後段部分において、移動局装置から基地局装置へ向かう信号を受信する。図３、図５及び図６に関する上記説明は、特定の詳細な動作のために参照することができる。さらに、中継装置は、以下のように動作してもよい。第１期間において、基地局装置から第１信号を受信し、移動局装置から第２信号を受信する。第２期間において、復号化された第１信号及び復号化された第２信号を重ね合わせることにより得られた信号と、第１復号化応答信号及び第２復号化応答信号とを、一緒に基地局装置及び移動局装置へ送信する。図４及び図７に関する上記説明は、特定の詳細な動作のために参照することができる。
【００４３】
図９は、他の実施例による中継装置のためのワイヤレス通信方法のフローチャートである。ステップ９０１において、第２通信装置へ向かう第１信号を第１通信装置から受信する。ステップ９０２において、受信された第１信号を復号化し復号結果が正しいか否かを判断する。ステップ９０３において、第１信号の復号結果が正しいか否かを示す第１復号化応答信号を生成する。ステップ９０４において、第１復号化応答信号を第１通信装置及び第２通信装置へ送信する。もしステップ９０２において復号結果が正しいと判断されたとき、ステップ９０４の後にステップ９０５が実行される。ステップ９０５において、復号化された第１信号を第２通信装置に転送する。もしステップ９０２において復号結果が正しくないと判断されたとき、ステップ９０４の後にステップ９０６が実行される。ステップ９０６において、第１通信装置から再送された第１信号を受信する。ステップ９０５において復号化された第１信号を第２通信装置に転送することには、例えば、復号化された第１信号を再符号化すること、及び／又は第１信号内の制御シグナリングを除去することを含んでもよいことに注意されたい。
【００４４】
図１０は、ある実施例による中継装置のためのワイヤレス通信方法のフローチャートである。ステップ１００１において、第２通信装置に向かう第１信号を第１通信装置から受信し、第１通信装置に向かう第２信号を第２通信装置から受信する。ステップ１００２において、第１信号及び第２信号を復号化し復号結果が正しいか否かを判断する。ステップ１００３において、復号化された第１信号と第２信号を重ね合わせることにより重ね合わせ信号を取得する。ある実施例においてステップ１００３は、もし第１信号及び第２信号の復号結果がともに正しいとき、復号化された第１信号と第２信号に対して排他的論理和演算を行って重ね合わせ信号を取得すること、もし第１信号及び第２信号の復号結果のいずれか一方のみが正しいとき、正しく復号化された信号を重ね合わせ信号として取得すること、もし第１信号及び第２信号の復号結果のどちらも正しくないとき、ヌル（null）信号を重ね合わせ信号とすることを含んでいてよい。ステップ１００４において、第１信号の復号結果が正しいか否かを示す第１復号化応答信号、及び第２信号の復号結果が正しいか否かを示す第２復号化応答信号を生成する。ステップ１００５において、重ね合わせ信号、第１復号化応答信号及び第２復号化応答信号を、一緒に第１通信装置及び第２通信装置へ送信する。ステップ１００５において、第１復号化応答信号及び第２復号化応答信号はそれぞれ独立したリソースを占めてもよい。複数の復号化応答信号は、例えば時分割多重、周波数分割多重又は符号分割多重によってリソースを多重化してよい。また、第１復号化応答信号及び第２復号化応答信号は、重ね合わせ信号とリソースを共用してもよい。
【００４５】
図１１は、１つの実施例によるワイヤレス通信システムのための中継装置１１００のブロック図である。中継装置１１００において、送受信部１１０１は、第１通信装置から第２通信装置へ向かう第１信号を受信するように構成されている。復号部１１０２は、第１信号を復号化して復号結果が正しいか否かを判断するように構成されている。復号化応答信号生成部１１０３は、第１信号の復号結果が正しいか否かを示す第１復号化応答信号を生成するように構成されている。更に、送受信部１１０１は、第１復号化応答信号を第１通信装置及び第２通信装置へ送信するように構成されている。
【００４６】
ある好ましい実施例において、更に、送受信部１１０１は、第１信号の復号結果が正しいとき、第１復号化応答信号を第１通信装置及び第２通信装置へ送信した後に、第１信号を第２通信装置へ転送するように構成されてもよい。ある好ましい実施例において、更に、送受信部１１０１は、第１信号の復号結果が正しくないときに、第１復号化応答信号を第１通信装置及び第２通信装置へ送信した後に、第１通信装置から再送される第１信号を受信するように構成されてもよい。
【００４７】
ある好ましい実施例において、中継装置１１００は、時分割復信通信システムにおいて利用されてよい。このとき、第１通信装置は基地局装置であってよく、第２通信装置は移動局装置であってよい。送受信部１１０１は、以下のように動作するように構成されてよい。ダウンリンク期間の前段部分において、基地局装置から移動局装置へ向かう信号を受信する。ダウンリンク期間の後段部分において、基地局装置からの信号を移動局装置へ転送する。アップリンク期間の前段部分において、移動局装置からの信号を基地局装置へ転送する。アップリンク期間の後段部分において、移動局装置から基地局装置へ向かう信号を受信する。好ましくは、更に送受信部１１０１は、アップリンク期間の前段部分において、復号化応答信号を基地局装置及び移動局装置へ送信するように構成されてもよい。図３、図５及び図６に関する上記説明は、特定の詳細な動作のために参照することができる。
【００４８】
図１２は、他の実施例によるワイヤレス通信システムのための中継装置１２００のブロック図である。中継装置１２００は、第１通信装置から第２通信装置へ向かう第１信号及び第２通信装置から第１通信装置へ向かう第２信号を受信するように構成されている送受信部１２０１と、受信された第１信号及び第２信号を復号化して復号結果が正しいか否かを判断するように構成されている復号部１２０２と、第１信号の復号結果が正しいか否かを示す第１復号化応答信号及び第２信号の復号結果が正しいか否かを示す第２復号化応答信号を生成するように構成されている復号化応答信号生成部１２０３と、復号化された第１信号及び第２信号を重ね合わせることにより重ね合わせ信号を取得するように構成されている重ね合わせ部１２０４と、を備える。ある実施例において、もし第１信号及び第２信号の復号結果がともに正しいとき、復号化された第１信号と第２信号に対して排他的論理和演算を行って重ね合わせ信号が取得される。もし第１信号及び第２信号の復号結果のいずれか一方のみが正しいとき、正しく復号化された信号が重ね合わせ信号として取得される。もし第１信号及び第２信号の復号結果のどちらも正しくないとき、ヌル（null）信号を重ね合わせ信号とする。更に送受信部１２０１は、重ね合わせ信号、第１復号化応答信号及び第２復号化応答信号を第１通信装置及び第２通信装置へ送信するように構成されてもよい。
【００４９】
好ましくは、中継装置１２００は、時分割復信通信システムにおいて利用されてよい。このとき、第１通信装置は基地局装置であってよく、第２通信装置は移動局装置であってよい。送受信部１２０１は、以下のように動作するように構成されてよい。第１期間において、基地局装置から第１信号を受信し、移動局装置から第２信号を受信する。第２期間において、上記の重ね合わせ信号、第１復号化応答信号及び第２復号化応答信号を、基地局装置及び移動局装置へ送信する。
【００５０】
図１３は、他の実施例によるワイヤレス通信システムのための中継装置１３００のブロック図である。中継装置１３００は、送受信部１３０１と、復号部１３０２と、復号化応答信号生成部１３０３と、パンクチャ部１３０４を備える。送受信部１３０１、復号部１３０２及び復号化応答信号生成部１３０３は、図１１に示した送受信部１１０１、復号部１１０２及び復号化応答信号生成部１１０３とそれぞれ同様であるため、ここでは詳しく説明しない。中継装置１３００は、時分割復信通信システムにおいて利用されてよい。このとき、第１通信装置は基地局装置であってよく、第２通信装置は移動局装置であってよい。送受信部１３０１は、以下のように動作するように構成されてよい。ダウンリンク期間の前段部分において、基地局装置から移動局装置へ向かう信号を受信する。ダウンリンク期間の後段部分において、基地局装置からの信号を移動局装置へ転送する。アップリンク期間の前段部分において、移動局装置からの信号を基地局装置へ転送する。アップリンク期間の後段部分において、移動局装置から基地局装置へ向かう信号を受信する。基地局装置からの信号内の制御シグナリングの時間長が、基地局装置からの信号内のデータの伝送時間と中継装置が受信状態から送信状態へ切り替わるのに必要な時間の合計以上であるとき、送受信部１３０１は、基地局装置からの信号内の全てのデータを転送する。そうでなければ、パンクチャ部１３０４は、基地局装置からの信号内のデータをパンクチャし、送受信部１３０１は、パンクチャされたデータを転送する。さらに、移動局装置からの信号内のデータの伝送時間が、中継装置が送信状態から受信状態へ切り替わるのに必要な時間以上であるとき、送受信部１３０１は、移動局装置からの信号内の全てのデータを転送する。そうでなければ、パンクチャ部１３０４は、移動局装置からの信号内のデータをパンクチャし、送受信部１３０１は、パンクチャされたデータを転送する。
【００５１】
図１４は、他の実施例によるワイヤレス通信システムのための中継装置１４００のブロック図である。中継装置１４００は、送受信部１４０１と、復号部１４０２と、復号化応答信号生成部１４０３と、多重化部１４０４を備える。送受信部１４０１、復号部１４０２及び復号化応答信号生成部１４０３は、図１１に示した送受信部１１０１、復号部１１０２及び復号化応答信号生成部１１０３とそれぞれ同様であるため、ここでは詳しく説明しない。多重化部１４０４は、複数の復号化応答信号を、時分割多重、周波数分割多重又は符号分割多重によって多重化するように構成されている。
【００５２】
実施態様の方法及び装置の全て、又はいかなるステップ若しくは部分が、ハードウエア、ファームウエア、ソフトウエア、または何らかの計算装置（プロセッサ、記憶媒体等を含む）や通信装置のネットワークにおけるこれらの組み合わせを用いて実現可能であり、実施態様に関する説明を読んだ当業者により彼らの基本的なプログラミング技術を用いて実現可能であることは、当業者に理解されるべきである。したがって、これらの詳しい説明はここでは省略する。
【００５３】
したがって、上記の理解に基づいて、実施態様の目的は、１つのプログラム又一群のプログラムを何らかの情報処理装置上で実行することによってさらに達成可能である。情報処理装置は、周知の汎用装置であってよい。したがって実施態様の目的は、方法又は装置を実現するプログラムコードを含むプログラム製品を供給するだけで達成可能である。すなわち、このようなプログラム製品も実施態様となり、このようなプログラム製品を格納する記憶媒体も実施態様となる。明らかに、記憶媒体はいかなる周知の記憶媒体でよく、将来開発されるいかなる記憶媒体でもよい。したがって、ここで記憶媒体を１つ１つ列挙することに意味はない。
【００５４】
実施態様の装置及び方法において、各部分又は各ステップが、分解、組み合わせ及び／又は分解後の再組み合わせできることは明かである。このような分解、組み合わせ及び／又は再組み合わせは、実施態様と均等な方式と見なされるべきである。
【００５５】
実施態様の好ましい実施例は上述の通りである。当業者には、実施態様の範囲がここで開示される好適実施例に限定されず、実施態様の精神の本質の範囲内において実施例が様々な変更と均等な方式を含むと理解されるべきである。
【００５６】
以上の実施例を含む実施形態に関し、更に以下の付記を開示する。
【００５７】
（付記１）
中継装置のためのワイヤレス通信方法であって、
第１通信装置から第２通信装置へ向かう第１信号を受信し、
受信された前記第１信号を復号化して復号結果が正しいか否かを判断し、
前記第１信号の前記復号結果が正しいか否かを示す第１復号化応答信号を生成し、
前記第１復号化応答信号を前記第１通信装置及び前記第２通信装置へ送信する、
ワイヤレス通信方法。
【００５８】
（付記２）
前記第１信号の前記復号結果が正しいとき、前記第１復号化応答信号を前記第１通信装置及び前記第２通信装置へ送信した後に、前記第１信号を前記第２通信装置へ転送する、付記１に記載のワイヤレス通信方法。
【００５９】
（付記３）
前記第１信号の前記復号結果が正しくないときに、前記第１復号化応答信号を前記第１通信装置及び前記第２通信装置へ送信した後に、前記第１通信装置から再送される前記第１信号を受信する付記２に記載のワイヤレス通信方法。
【００６０】
（付記４）
さらに、
前記第１通信装置から前記第１信号を受信する時に、前記第２通信装置から前記第１通信装置へ向かう第２信号を受信し、
受信された前記第２信号を復号化して復号結果が正しいか否かを判断し、
前記第２信号の前記復号結果が正しいか否かを示す第２復号化応答信号を生成し、
復号化された前記第１信号と復号化された前記第２信号を重ね合わせて重ね合わせ信号を取得し、
前記第１復号化応答信号の送信とともに、前記重ね合わせ信号及び前記第２復号化応答信号を、前記第１通信装置及び前記第２通信装置へ送信する、
付記１に記載のワイヤレス通信方法。
【００６１】
（付記５）
前記の復号化された前記第１信号と復号化された前記第２信号とを重ね合わせて重ね合わせ信号を取得することは、
もし前記第１信号及び前記第２信号の前記復号結果がともに正しいとき、復号化された前記第１信号と前記第２信号に対して排他的論理和演算を行って前記重ね合わせ信号を取得することと、
もし前記第１信号及び前記第２信号の前記復号結果のいずれか一方のみが正しいとき、正しく復号化された信号を前記重ね合わせ信号として取得することと、
もし前記第１信号及び前記第２信号の前記復号結果のどちらも正しくないとき、ヌル（null）信号を前記重ね合わせ信号として取得することと、
を含む付記４に記載のワイヤレス通信方法。
【００６２】
（付記６）
前記ワイヤレス通信方法は、時分割復信（TDD: Time Division Duplex）通信システムにおいて利用され、
前記第１通信装置を基地局装置とし、前記第２通信装置を移動局装置とし、
前記中継装置が、次のパターン、
ダウンリンク期間の前段部分において、前記基地局装置から前記移動局装置へ向かう信号を受信し、
前記ダウンリンク期間の後段部分において、前記基地局装置から発した信号を前記移動局装置へ転送し、
アップリンク期間の前段部分において、前記移動局装置から発した信号を前記基地局装置へ転送し、
前記アップリンク期間の後段部分において、前記移動局装置から前記基地局装置へ向かう信号を受信する、
に従って動作する付記１に記載のワイヤレス通信方法。
【００６３】
（付記７）
前記基地局装置から発した前記信号内の制御シグナリングの時間長が、前記基地局装置から発した前記信号内のデータの伝送時間と前記中継装置が受信状態から送信状態へ切り替わるのに必要な時間の合計以上であるとき、前記中継装置は、前記基地局装置から発した前記信号内の全てのデータを転送し、そうでなければ、前記中継装置は、前記基地局装置から発した信号内のデータをパンクチャして、パンクチャされた前記データを転送する、付記６に記載のワイヤレス通信方法。
【００６４】
（付記８）
前記移動局装置から発した信号内のデータの伝送時間が、前記中継装置が送信状態から受信状態へ切り替わるのに必要な時間以上であるとき、前記中継装置は、前記移動局装置から発した信号内の全てのデータを転送し、そうでなければ、前記中継装置は、前記移動局装置から発した信号内のデータをパンクチャし、パンクチャされた前記データを転送する、付記６に記載のワイヤレス通信方法。
【００６５】
（付記９）
前記アップリンク期間の前記前段部分において、前記中継装置は、前記復号化応答信号を前記基地局装置及び前記移動局装置へ送信する、付記６に記載のワイヤレス通信方法。
【００６６】
（付記１０）
前記ワイヤレス通信方法は、時分割復信（TDD: Time Division Duplex）通信システムにおいて利用され、
前記第１通信装置を基地局装置とし、前記第２通信装置を移動局装置とし、
前記中継装置が、次のパターン、
第１期間において、前記基地局装置から発した前記第１信号を受信し、前記移動局装置から発した前記第２信号を受信する、
第２期間において、前記重ね合わせ信号を、前記第１復号化応答信号及び前記第２復号化応答信号とともに、前記基地局装置及び前記移動局装置へ送信する、
に従って動作する付記４に記載のワイヤレス通信方法。
【００６７】
（付記１１）
前記の前記第１復号化応答信号を送信することは、時分割多重、周波数分割多重又は符号分割多重によって前記第１復号化応答信号を他の復号化応答信号と多重化することを含む、付記１に記載のワイヤレス通信方法。
【００６８】
（付記１２）
前記組み合わせ信号、前記第１復号化応答信号及び前記第２復号化応答信号を前記第１通信装置及び前記第２通信装置へ送信するとき、前記第１復号化応答信号及び前記第２復号化応答信号は、前記重ね合わせ信号とは別にリソースを占めるか、又は前記重ね合わせ信号とリソースを共用する付記４に記載のワイヤレス通信方法。
【００６９】
（付記１３）
ワイヤレス通信システムで使用される中継装置であって、
第１通信装置から第２通信装置へ向かう第１信号を受信する送受信部と、
前記第１信号を復号化して復号結果が正しいか否かを判断する復号部と、
前記第１信号の前記復号結果が正しいか否かを示す第１復号化応答信号を生成する復号化応答信号生成部と、を備え、
前記送受信部は、前記第１復号化応答信号を前記第１通信装置及び前記第２通信装置へ送信する中継装置。
【００７０】
（付記１４）
前記送受信部は、前記第１信号の前記復号結果が正しいとき、前記第１復号化応答信号を前記第１通信装置及び前記第２通信装置へ送信した後に、前記第１信号を前記第２通信装置へ転送する、付記１３に記載の中継装置。
【００７１】
（付記１５）
前記送受信部は、前記第１信号の前記復号結果が正しくないときに、前記第１復号化応答信号を前記第１通信装置及び前記第２通信装置へ送信した後に、前記第１通信装置から再送される前記第１信号を受信する付記１４に記載の中継装置。
【００７２】
（付記１６）
前記送受信部は、さらに、前記第１通信装置から前記第１信号を受信する時に、前記第２通信装置から前記第１通信装置へ向かう第２信号を受信し、
前記復号部は、さらに、前記第２信号を復号化して復号結果が正しいか否かを判断し、
前記復号化応答信号生成部は、さらに、前記第２信号の前記復号結果が正しいか否かを示す第２復号化応答信号を生成し、
前記中継装置は、さらに、復号化された前記第１信号と復号化された前記第２信号を重ね合わせて重ね合わせ信号を取得する重ね合わせ部を備え、
前記送受信部は、さらに、前記第１復号化応答信号の送信とともに、前記重ね合わせ信号及び前記第２復号化応答信号を、前記第１通信装置及び前記第２通信装置へ送信する、
付記１３に記載の中継装置。
【００７３】
（付記１７）
前記重ね合わせ部は、
もし前記第１信号及び前記第２信号の前記復号結果がともに正しいとき、復号化された前記第１信号と前記第２信号に対して排他的論理和演算を行って前記重ね合わせ信号を取得し、
もし前記第１信号及び前記第２信号の前記復号結果のいずれか一方のみが正しいとき、正しく復号化された信号を前記重ね合わせ信号として取得し、
もし前記第１信号及び前記第２信号の前記復号結果のどちらも正しくないとき、ヌル（null）信号を前記重ね合わせ信号として取得する、
付記１６に記載の中継装置。
【００７４】
（付記１８）
前記中継装置は、時分割復信（TDD: Time Division Duplex）通信システムにおいて利用され、
前記第１通信装置を基地局装置とし、前記第２通信装置を移動局装置とし、
前記送受信部が、次のパターン、
ダウンリンク期間の前段部分において、前記基地局装置から前記移動局装置へ向かう信号を受信し、
前記ダウンリンク期間の後段部分において、前記基地局装置から発した信号を前記移動局装置へ転送し、
アップリンク期間の前段部分において、前記移動局装置から発した信号を前記基地局装置へ転送し、
前記アップリンク期間の後段部分において、前記移動局装置から前記基地局装置へ向かう信号を受信する、
に従って動作する付記１３に記載の中継装置。
【００７５】
（付記１９）
パンクチャ部をさらに備え、
前記基地局装置から発した前記信号内の制御シグナリングの時間長が、前記基地局装置から発した前記信号内のデータの伝送時間と前記中継装置が受信状態から送信状態へ切り替わるのに必要な時間の合計以上であるとき、前記送受信部は、前記基地局装置から発した前記信号内の全てのデータを転送し、そうでなければ、前記パンクチャ部は、前記基地局装置から発した信号内のデータをパンクチャして、前記送受信部は、パンクチャされた前記データを転送する、付記１８に記載の中継装置。
【００７６】
（付記２０）
パンクチャ部をさらに備え、
前記移動局装置から発した信号内のデータの伝送時間が、前記中継装置が送信状態から受信状態へ切り替わるのに必要な時間以上であるとき、前記送受信部は、前記移動局装置から発した信号内の全てのデータを転送し、そうでなければ、前記パンクチャ部は、前記移動局装置から発した信号内のデータをパンクチャし、前記送受信部は、パンクチャされた前記データを転送する、付記１８に記載の中継装置。
【００７７】
（付記２１）
前記送受信部は、前記アップリンク期間の前記前段部分において、復号化応答信号を前記基地局装置及び前記移動局装置へ送信する、付記１８に記載の中継装置。
【００７８】
（付記２２）
前記中継装置は、時分割復信（TDD: Time Division Duplex）通信システムにおいて利用され、
前記第１通信装置を基地局装置とし、前記第２通信装置を移動局装置とし、
前記送受信部が、次のパターン、
第１期間において、前記基地局装置から発した前記第１信号を受信し、前記移動局装置から発した前記第２信号を受信する、
第２期間において、前記重ね合わせ信号、前記第１復号化応答信号及び前記第２復号化を、前記基地局装置及び前記移動局装置へ送信する、
に従って動作する付記１６に記載の中継装置。
【００７９】
（付記２３）
時分割多重、周波数分割多重又は符号分割多重によって複数の復号化応答信号を多重化する多重化部をさらに備える付記１３に記載の中継装置。
【符号の説明】
【００８０】
Ｄ    受信通信装置
Ｎ１    第１通信装置
Ｎ２    第２通信装置
Ｓ    送信通信装置
ＲＳ    中継装置
ＢＳ    基地局装置
ＭＳ１、ＭＳ２    移動局装置
【図１】
2010171951.tif 000003
【図２】
2010171951.tif 000004
【図３】
2010171951.tif 000005
【図４】
2010171951.tif 000006
【図５】
2010171951.tif 000007
【図６】
2010171951.tif 000008
【図７】
2010171951.tif 000009
【図８】
2010171951.tif 000010
【図９】
2010171951.tif 000011
【図１０】
2010171951.tif 000012
【図１１】
2010171951.tif 000013
【図１２】
2010171951.tif 000014
【図１３】
2010171951.tif 000015
【図１４】
2010171951.tif 000016